(57)【特許請求の範囲】
【請求項１】
フィーディングアダプタの排出口が挿入される円形の開口部と該開口部の周囲に複数個の挿入口を備える板材と、
前記挿入口に挿入され、前記板材を支える留め具を有する掛止金具と、
を有するフィーディングアダプタ取付治具であって、
前記板材が、前記掛止金具に沿って前記留め具を上下に移動させることにより、上下に移動可能であり、
前記掛止金具が、フィーディングアダプタの搬送容器への取付時に、前記フィーディングアダプタ取付治具を掛止することを特徴とするフィーディングアダプタ取付治具。
【請求項２】
前記挿入口が、前記開口部の径方向に伸びる長穴であることを特徴とする請求項１に記載のフィーディングアダプタ取付治具。
【発明の詳細な説明】
【技術分野】
【０００１】
本発明は、フィーディングアダプタを搬送容器底部に取り付ける際に用いる治具に関する。
【背景技術】
【０００２】
精密化学、製薬等の技術分野において、原材料や製品として粉体を取り扱うことがある。この粉体の中には、抗生剤、抗がん剤等の薬理活性の高い中間体や製品が含まれ、人体に対して影響を及ぼすことがある。
製造現場で粉体を取り扱う作業者の安全を確保するために、いわゆる封じ込め設備により、粉体を封じ込めた状態で機器間を移送させ、周囲への粉体の飛散を防止することが広く行われている。例えば、特許文献１には、建物の複数階に渡って搬送物を搬送可能にスタッカークレーンを設置し、少なくとも一つの階を生産階、少なくとも一つの他の階を保管階として構成して、フロービン等の搬送容器に入れた搬送物をスタッカークレーンで搬送する生産システムが提案されている。
特許文献１に記載の生産システムにおいて、搬送容器は、普段は保管階に保管されており、使用時にはスタッカークレーンで生産階に移動させられる。搬送容器は、底部にバタフライバルブ、ギャップヘルール等のバルブを有し、保管時、移動時は、バルブは閉じられている。搬送容器は、生産階でフィーディングアダプタが取り付けられた後、バルブが開放され、搬送容器内保管されている粉体が、空気輸送により搬出される。
搬送容器底部にフィーディングアダプタを取り付ける際に、フィーディングダプタを支えながらクランプ等で固定する作業を一人で行うのは困難である。また、取り付け時のフィーディングアダプタの落下による作業者の怪我、フィーディングアダプタの破損、床の損傷といったリスクもある。
【先行技術文献】
【特許文献】
【０００３】
【特許文献１】特開２００７−３１００８号公報
【発明の概要】
【発明が解決しようとする課題】
【０００４】
本発明は、搬送容器底部にフィーディングアダプタを一人で安全に取り付けることのできる取付治具を提供することを課題とする。
【課題を解決するための手段】
【０００５】
１．円形の開口部と該開口部の周囲に複数個の挿入口を備える板材と、
前記挿入口に挿入される掛止金具と、
を有するフィーディングアダプタ取付治具。
２．前記掛止金具が、高さ調整可能であることを特徴とする１．に記載のフィーディングアダプタ取付治具。
３．前記挿入口が、前記開口部の径方向に伸びる長穴であることを特徴とする１．または２．に記載のフィーディングアダプタ取付治具。
【発明の効果】
【０００６】
本発明のフィーディングアダプタ取付治具を用いることにより、搬送容器底部へのフィーディングアダプタの取り付けを一人で安全に行うことができ、フィーディングアダプタの落下による作業者の怪我や、フィーディングアダプタの破損、床の損傷等を防止することができる。
掛止金具が高さ調整可能であると、掛止金具の高さを調整し、一つのフィーディングアダプタ取付治具で、長さの異なるフィーディングアダプタに適用することができる。また、挿入口が長穴であると、掛止金具間の距離を調整し、一つのフィーディングアダプタ取付治具で、フランジ部の直径の異なる搬送容器に適用することができる。
【図面の簡単な説明】
【０００７】
【図１】本発明のフィーディングアダプタ取付治具を示す図。
【図２】板材の変形例を示す図。
【図３】フィーディングアダプタの一例を示す図。
【図４】本発明のフィーディングアダプタの使用方法を説明する図。
【図５】本発明のフィーディングアダプタの使用方法を説明する図。
【図６】本発明のフィーディングアダプタの使用方法を説明する図。
【図７】本発明のフィーディングアダプタの使用方法を説明する図。
【図８】本発明のフィーディングアダプタの使用方法を説明する図。
【発明を実施するための形態】
【０００８】
本発明のフィーディングアダプタ取付治具の一実施態様を図１に示す。
本発明のフィーディングアダプタ取付治具１は、
円形の開口部２１と開口部２１の周囲に複数個の挿入口２２を備える板材２と、
挿入口２２に挿入される掛止金具３と、
を有することを特徴とする。
【０００９】
板材２を形成する材料は、金属、プラスチック等を用いることができる。強度に優れ、板材２由来の異物が混入する可能性が少ない金属が好ましい。板材２の形状は特に制限されず、円形、矩形、六角形等の多角形等を挙げることができる。
板材２は、円形の開口部２１と開口部２１の周囲に複数個の挿入口２２を備える。開口部２１は、その直径がフィーディングアダプタの排出筒の最大径より小さくなるように形成される。
挿入口２２は、開口部２１の周囲に複数個設けられる。挿入口２２の数は制限されないが、２個または３個であることが作業性の点から好ましい。また、挿入口２２は、開口部２１に対して回転対称に設けることが、作業時の安定性の点から好ましい。下記で詳述するように、挿入口２２には掛止金具３が挿入される。挿入口２２は円形、または開口部の径方向に伸びる長穴であることが好ましい。板材２の変形例として、図２（ａ）に円形の挿入口２２を３個有する板材２、図２（ｂ）に長穴である挿入口２２を２個有する板材２を示す。挿入口２２が長穴であると、掛止金具３間の距離を調整し、一つのフィーディングアダプタ取付治具１で、フランジ部の直径の異なる搬送容器に適用することができる。
【００１０】
掛止金具３は、一端にフック部３１を有する。掛止金具３は板材２の挿入口２２に挿入され、他端は、板材２が落下しないように留め具４を有する。掛止金具３のフック部３１が引っ掛けられることにより、本発明のフィーディングアダプタ取付治具１は、搬送容器の下部に配置される。掛止金具３は、高さ調整が可能であることが好ましい。掛止金具３を高さ調整可能とする方法は特に制限されないが、周面にネジ切り加工を施すことが容易である。掛止金具３が高さ調整可能であると、掛止金具３の高さを調整し、一つのフィーディングアダプタ取付治具１で、長さの異なるフィーディングアダプタに適用することができる。掛止金具３が、周面にネジ切り加工された金属棒であると、蝶ナットやナットを、留め具４として用いることができ、また、これらを回転させることで、板材２を上下させることができる。手で容易に回転することができるため、留め具４は蝶ナットを用いることが好ましい。
【００１１】
図３に、フィーディングアダプタ５の一例を示す。フィーディングアダプタ５は、排出筒５１と、排出筒５１の底部に接続された接続管５２とを有する。排出筒５１は、下に凸の円錐形であり、その上面で搬送容器のフランジ部と接続する。接続管５２は、その両端部がフランジとなっており、また、長さが排出筒５１の最大径よりも短く、かつ、フィーディングアダプタ取付治具１の開口部２１の直径よりも短い。接続管５２は、その両端で空気輸送配管と接続され、一方から他方に向けて空気が流れることにより、搬送容器から排出筒５１に落下した粉体を、空気とともに輸送することができる。なお、フィーディングアダプタ５は、図３に記載のものに限定されず、本発明のフィーディングアダプタ取付治具１の開口部２１に、フィーディングアダプタ５の排出筒５１が挿入できるものであればよい。
【００１２】
本発明のフィーディングアダプタ取付治具１の使用方法を、図に基づいて説明する。
板材２の開口部２１に、フィーディングアダプタ５の排出筒５１を挿入する（図４）。接続管５２は、開口部２１の径よりも短く、接続管５２は開口部２１を通ることができる。
掛止金具３のフック部３１を搬送容器６に引っ掛け、フィーディングアダプタ取付治具１を掛止する（図５）。フック部３１を引っ掛ける箇所は特に制限されない。搬送容器６の底部は、回転により開閉するバルブを軸支する突起６２を両側に有し、その一方はバルブの開閉を行うハンドル６３と接続される。例えば、フック３１を搬送容器底部の突起６２に引っ掛けることができる。また、搬送容器６ではなく、搬送容器を移動させるためのリフター等に引っ掛けてもよい。
留め具４である蝶ナットを回して板材２を上昇させ、フィーディングアダプタ５の排出筒５１上面と、搬送容器６のフランジ部６１との高さを合わせ（図６）、搬送容器６とフィーディグアダプタ５とをクランプ７で接続する（図７）。留め具４を回して板材２を降下させ、フック部３１を外してフィーディングアダプタ取付治具１を取り除いた後、フィーディングアダプタ５の接続管５２を空気輸送配管８に接続する（図８）。
【符号の説明】
【００１３】
１    フィーディングアダプタ取付治具
２    板材
２１  開口部
２２  挿入口
３    掛止金具
３１  フック部
４    留め具
５    フィーディングアダプタ
５１  排出筒
５２  接続管
６    搬送容器
６１  フランジ部
６２  突起
６３  ハンドル
７    クランプ
８    空気輸送配管
【図１】
0006600526.tif 000002
【図２】
0006600526.tif 000003
【図３】
0006600526.tif 000004
【図４】
0006600526.tif 000005
【図５】
0006600526.tif 000006
【図６】
0006600526.tif 000007
【図７】
0006600526.tif 000008
【図８】
0006600526.tif 000009